(57)【要約】【課題】  従来のスピーカー装置は、第１・第２のスピーカーを有し、スマートフォン等のセット用装填スロットとで構成し、第１・第２のスピーカーと装填スロットとを音孔で連通し音響通路を形成した構造である。一方のスピーカー（第１、又は第２のスピーカー）からの放射音をリスナーに向けて直接音とし、他方のスピーカー（第２、又は第１のスピーカー）からの放射音を間接音として利用する。【解決手段】  本発明は、筐体に設けたスマートフォンの差込み開口に繋がる導音部を、下方より上方に向かって蛇行するように形成し、導音部の開放口を、筐体の一方側に形成するスマートフォン等用のスピーカー装置であり、筐体の内部を迂回しながら流れ開放口（開口部）へ向かって徐々に容積が大きくなる迂回式の導音部を設け、この導音部を利用して、スマートフォン等より出力された音を、先達の開放口に向かって押出し、かつ増幅させながら開放口へと音を導く構成である。【選択図】      図１
2016090890.tif 000002
【特許請求の範囲】
【請求項１】
筐体には、スマートフォン、携帯音楽プレーヤー、又は携帯電話でなる機器の差込み開口を形成するとともに、この差込み開口に繋がる導音部（音響通路部）を形成し、
この導音部の開放口を、前記筐体の一方側に形成し、
前記導音部を形成する導音路が蛇行する構成としたスマートフォン、携帯音楽プレーヤー又は携帯電話用のスピーカー装置。
【請求項２】
前記筐体は、前記導音部の開放口の開口端面が広く、この導音部の基端側の開口端面が狭くなる構成とした請求項１に記載のスマートフォン、携帯音楽プレーヤー又は携帯電話用のスピーカー装置であって、次のよう構造である。
開放口の開口端面＞基端側の開口端面
【請求項３】
前記筐体は、前記一方側の高さを高く、他方側の高さを低くする構成とした請求項１に記載のスマートフォン、携帯音楽プレーヤー又は携帯電話用のスピーカー装置であって、次のよう構造である。
一方側の高さ＞他方側の高さ
【請求項４】
前記スマートフォン、携帯音楽プレーヤー又は携帯電話は、下側に音響出口（スピーカー配置部）が設けられている構成とした請求項１に記載のスマートフォン、携帯音楽プレーヤー又は携帯電話用のスピーカー装置。
【請求項５】
前記差込み開口は、下方より上方に向かって傾斜するとともに、この傾斜は、前記筐体の他方側の収斂部に傾く構成とした請求項１に記載のスマートフォン、携帯音楽プレーヤー又は携帯電話用のスピーカー装置。
【請求項６】
前記筐体は、木製でなる構成とした請求項１に記載のスマートフォン、携帯音楽プレーヤー又は携帯電話用のスピーカー装置。
【発明の詳細な説明】
【技術分野】
【０００１】
本発明は、スマートフォン、携帯音楽プレーヤー又は携帯電話用のスピーカー装置に関する。
【背景技術】
【０００２】
スピーカー筐体に、スマートフォン、携帯音楽プレーヤー、又は携帯電話（携帯電話機）（以下スマートフォン等とする）をそのまま装填し、それらの音響パワー、及び／又は、音質（低音と高音の音域）を適度な広さのリスニング空間で楽しめるようにレベルアップできるスピーカー装置が提案されている。例えば、特開２０１２−１７５２５５号公報がある。この文献１は、スピーカー装置に、第１・第２のスピーカーを有し、スマートフォン等をセットする差込み支持する装填スロットとで構成し、この第１・第２のスピーカーと装填スロットとを音孔で連通し音響通路を形成した構造である。その特徴は、一方のスピーカー（第１又は第２のスピーカー）からの放射音をリスナーに向けて直接音とし、他方のスピーカー（第２又は第１のスピーカー）からの放射音を間接音として利用することにある。
【０００３】
しかし、この文献１の発明では、樹脂素材で形成することで、木質の特性を発揮できない。例えば、防振効果により、スマートフォン等が発するスピーカー本体の箱鳴りや共振を抑え、温かみのある独特な音質で音を再生することは不可能である。
【０００４】
また、この文献１の発明では、第１・第２のスピーカーを有し、音を分岐しつつ、直線的に導音する構造である。従って、スマートフォン等の発する音を、増音すること、又はスマートフォン等単体の音を奏でるに留まること、等の改良点が挙げられる。
【０００５】
その他として、スマートフォン等の音源から出力された音響を、そのまま大きく増幅する音響装置が提供されている。例えば、特開２０１４−７４９０９号公報がある。この文献２は、スマートフォン等差込み口を備えた、音響入口と音響出口を持つ音響箱小体を多段に設けるとともに、この音響箱小体に積上げる音響箱連接体、並びにスマートフォン等を立掛ける前板体とで構成する。この文献２の発明は、迂回導音部を有する特徴がある。この迂回導音部の迂回ピッチ、及び領域が、連続性かつ上下方向における繰返しとなる。従って、導音のスムースな流れが期待できないこと、又は調音効果も期待できないこと、等が思料される。そして、この文献２は、音響箱筐体を木製とすることが開示されているが、一部部分であり、木質の特性を発揮できない。
【０００６】
【特許文献１】特開２０１２−１７５２５５号公報
【特許文献２】特開２０１４−７４９０９号公報
【発明の概要】
【発明が解決しようとする課題】
【０００７】
従来のホーン装置とか、音響装置では、迂回導音部を有する構造が開示されている。しかし、迂回導音部の迂回ピッチ、及び領域が、連続性かつ上下方向における繰返しとなるので、導音のスムースな流れが期待できないこと、又は調音効果も期待できないこと、等の問題を抱えている。また、音響箱筐体を木製とすることが開示されているが、一部部分であり、木質の特性を発揮できないと考えられる。
【課題を解決するための手段】
【０００８】
上記に鑑み、本発明は、木質の特性を発揮できる構成とし、防振効果により、スマートフォン等が発するスピーカー本体の箱鳴りや共振を抑え、温かみのある独特な音質で音を再生することを意図する。
【０００９】
本発明は、筐体の内部を蛇行しながら流れ開放口（開口部）へ向かって徐々に容積が大きくなる蛇行式の導音部を設け、この導音部を利用して、スマートフォン等より出力された音を、先達の開放口に向かって押出すように移動することで、徐々に音を増幅させながら開放口へと音を導き得る特徴と、スマートフォン等単体とは異なる音を奏で得る特徴等を達成することを意図する。
【００１０】
この意図を達成する為に、本発明は、請求項１−請求項６を提案する。
【発明の効果】
【００１１】
請求項１の発明は、筐体には、スマートフォン、携帯音楽プレーヤー、又は携帯電話でなる機器（音発生器）の差込み開口を、筐体の一方向に向かって（上方より下方に向かって）形成するとともに、差込み開口に繋がる導音部（音響通路部）を、蛇行するように形成し（当該筐体を面体に設置した状態において、上下方向に移行し、かつ左右方向に振られる、所謂、迂回する）ように形成し、
導音部の開放口を、筐体の一方側に形成するスマートフォン等のスピーカー装置であり、筐体の内部を蛇行しながら流れ開放口（開口部）へ向かって徐々に容積が大きくなる迂回式の導音部を設け、この蛇行する導音部を利用して、より出力された音を、先達の開放口に向かって押出すように移動することで、徐々に音を増幅させながら開放口へと音を導き得る特徴と、スマートフォン等単体とは異なる音を奏で得る特徴等を達成できる。また、請求項１の発明は、筐体の内部を蛇行しながら流れ開放口（開口部）へ向かって徐々に容積が大きくなる蛇行式の導音部を設けた構成であり、スマートフォン等より出力させる音の能率を大幅に増大させ、指向性を持って目的の方向へ音を増幅させ遠くへ飛ばせる効果（スピーカー効果）がある。
【００１２】
請求項２の発明は、筐体は、導音部の開放口の開口端面が広く、導音部の基端側の開口端面が狭くなるスマートフォン、携帯音楽プレーヤー又は携帯電話用のスピーカー装置であって、次のよう構造である。
開放口の開口端面＞基端側の開口端面
従って、請求項１の特徴を達成できることと、この特徴達成に有益な導音部の一連の開口端面構造を提供できる。
【００１３】
請求項３の発明は、筐体は、一方側の高さを高く、他方側の高さを低くするスマートフォン、携帯音楽プレーヤー又は携帯電話用のスピーカー装置であって、次のよう構造である。
一方側の高さ＞他方側の高さ
従って、請求項１の特徴を達成できることと、この特徴達成に有益な筐体の構造を提供できる。
【００１４】
請求項４の発明は、スマートフォン、携帯音楽プレーヤー又は携帯電話は、下側に音響出口（スピーカー配置部）が設けられているスマートフォン、携帯音楽プレーヤー又は携帯電話用のスピーカー装置であり、請求項１の特徴を達成できることと、このスピーカー装置を利用するに最適なスマートフォン等を特定できること、等の特徴がある。
【００１５】
請求項５の発明は、差込み開口は、下方より上方に向かって傾斜するとともに、傾斜は、筐体の他方側（後方）の収斂部に傾くスマートフォン、携帯音楽プレーヤー又は携帯電話用のスピーカー装置であり、請求項１の特徴を達成できることと、このスピーカー装置を、スマートフォン等に利用するに最適な構造を特定できること、等の特徴がある。
【００１６】
請求項６の発明は、筐体は、木製でなるスマートフォン、携帯音楽プレーヤー又は携帯電話用のスピーカー装置であり、請求項１の特徴を達成できることと、木質の特性を発揮できる構成とし、防振効果により、スマートフォン等が発するスピーカー本体の箱鳴りや共振を抑え、温かみのある独特な音質で音を再生することが可能となり、極めて、実用的であること、等の特徴がある。
【図面の簡単な説明】
【００１７】
【図１】第１実施例の一方側（正面）からの斜視図
【図２】第１実施例の使用状態の側面図
【図３】第１実施例の平面図
【図４】図２の断面図
【図５】第２実施例の一方側（正面）からの斜視図であり、一部を欠截した斜視図
【図６】第３実施例の一方側（正面）からの斜視図
【図７】第４実施例の一方側（正面）からの斜視図
【発明を実施するための形態】
【００１８】
図１〜図４に示した第１実施例を説明すると、木製の筐体１は、長手方向Ｘ（図４において左右方向）において飛行機の翼形端面を呈する全体の底部を形成するとともに、その短手方向Ｙ（図４において手前と奥面方向）に幅を備えた底面体１００と、底面体１００の短手方向Ｙの両側部に設けた銀杏形の両側面体１０１、１０２、並びに両側面体１０１、１０２の上方を閉塞するスロープ形状の天板体１０３（底面体１００の幅と、両側面体１０１、１０２の板厚とでなる幅を有する）とで構成し、底面体１００の他方側（図４において、向かって右側）の端部１００ｂ（１０１ｂ、１０２ｂ）が、他方の設置部位１０４となり、また、両側面体１０１、１０２の一方側（図４において、向かって左側）の端部１００ａ（１０１ａ、１０２ａ）が、一方の設置部位１０５となる。この翼形端面を呈する底面体１００と、この銀杏形の両側面体１０１、１０２との位置関係は、長手方向Ｘでは、底面体１００の一方側を略覆うように、両側面体１０１、１０２を設ける。また、この第１実施例においては、高さ方向Ｚでは、底面体１００の上方に両側面体１０１、１０２の略半分が高くなる構成とする。高くなる構成を形成することで、後述する第二導音部が形成される。筐体は、樹脂製のものでも金属製のものでもありうる。
【００１９】
そして、底面体１００の一方側は、両側面体１０１、１０２の一方側のカーブ曲線の下側に設けられる構成であり、後述する開放口に達している。
【００２０】
そして、この翼形端面を呈する底面体１００は、第一導音部Ａ（音響受入れ部、及び音響通路部）を形成するとともに、第一導音部Ａとしての役割を担う為に、出入口２、３を形成する。入口３は、スマートフォン等Тを差し込む為の角筒状等の差込み開口５（孔）の下端５ａと繋がる。この第一実施例では、出口２を翼形の上部翼片の他方側に開設し、入口３を翼形の下部翼片の他方側（出口２より他方側）に開設した構成とし、差込み開口５に挿入され台座４にセットされたスマートフォン等Тの音（音源）が、この差込み開口５の下端５ａと繋がる入口３より、第一導音部Ａに入り、第一導音部Ａ内を迂回した後に、出口２より、後述する第二導音部Ｂ（音響通路部、及び音響放出部）に到る構造である。
【００２１】
尚、第一導音部Ａ内において、音を積極的に蛇行するために、仕切り板６を長手方向Ｘに内設する。この仕切り板６により、第一導音部Ａに、倒Ｕ字形の導音路７が形成される。仕切り板６は、バット形（又は、底面体１００に相似形）の翼形とする。導音路７は、入口３から出口２に向かって、例えば、ホルンのように、順次、広くなった端面積を備えており、かつ第二導音部Ｂがこの流れに沿って、順次、広くなった端面積を備えている構造である。これによって、増音（増幅）できること、又はスマートフォン等単体の音でなく、調音された独特な音質を醸成できる。図中８は底面体１００と仕切り板６との間に形成される空間である。
【００２２】
また、入口３（差込み開口５の下端５ａ）は、第一導音部Ａの内底面Ａ１との間に、図４において、三角形状端面の空間１０を形成できる構成とする。この空間１０を構成するための他の要素としては、差込み開口５が、筐体１（底面体１００）の他方側に傾きを確保した構成による（差込み開口５の下方（下端５ａ）から上方（上端５ｂ）に向かって傾斜したことにある）。これにより、例えば、スマートフォン等Тを差込み開口５に挿入し台座４にセットした時に、三角形状端面の空間１０は、スマートフォン等Тの発音部Т１（スピーカー）を、第一導音部Ａ（内底面Ａ１）に開放状態に維持できるので、音を、スムースに、第一導音部Ａに送出すことができる。
【００２３】
筐体１を、面体（平面体、例えば、机上）に設置した状態では、他方の設置部位１０４と一方の設置部位１０５とが接触し、筐体１は、安定した状態となる（例えば、水平設置となる）。そこで、差込み開口５にスマートフォン等Ｔを差込むと、その発音部Т１は、第一導音部Ａの内底面Ａ１に開放状態でセットされる。従って、スマートフォン等Тの発音部Т１からの音は、入口３より第一導音部Ａにスムースに送出された後、この第一導音部Ａ内を、図４において、右側から左側に向かって流れた後、今度は、左側から右側に向かって流れながら、下方より上方に向かって流れる（蛇行する）。この際に、第一導音部Ａの音領域（容積）が、図面上で（以下同じ）、右側＜左側、及び／又は、空間８より左側＜右側となって流れることで、スマートフォンТ等より出力された音はその第一導音部Ａを出口２に向かって押されながら移動し、徐々に音を増幅させながら出口２へと音を導かれる。そして、出口２より、第二導音部Ｂに到ると、第二導音部Ｂでは、第一導音部Ａの出口２側から（第二導音部Ｂの基端開口１１）、左側から右側に向かって流れながら開放口１２に向かって流れる（第一導音部Ａの出口２より蛇行する）が、その音領域（容積）が、左側＞右側となり、かつ第一導音部Ａ＜第二導音部Ｂとなることで、スマートフォン等Тの単体とは異なる音を奏で得ること、音が遠くまで伝播すること、等の特徴がある。又はスピーカーとしての役割を担える実益が有る。なお図４において、矢印（イ）、（ロ）、（ハ）は音の流れる方向を表す。詳細には、入口３から（イ）のように一方側へ向かった音は、空間８で迂回した後、（ロ）のように上昇して他方側に向かい、筐体１の出口２を出て第２導音部Ｂに入り、（ハ）のように開放口１２へと流れる。
【００２４】
図５に示した第２実施例を説明すると、第一導音部Ａを中心に据える構造である。第一導音部Ａに隣接するように（図面において、左右方向に向かった）、対の第二導音部Ｂを設ける構成であり、所謂、第一導音部Ａと第二導音部Ｂとを横方向Ｚ１において、平面的に繋ぐ構造とすることで、第一導音部Ａと、この第一導音部Ａとより分岐した（対の）第二導音部Ｂ形成することを特徴とした。その他は、前述の第１実施例に準ずる。この第２実施例は、低コスト化を図り、音響の広がりを確保すること、等を意図する。
【００２５】
次に図６に示した第３実施例を説明すると、第一導音部Ａの構造を主体とする。この第一導音部Ａを平面的にした構造であり、第一導音部Ａを、仕切り壁（図示しない）を介して、分岐（分離）した構造である。従って、スマートフォン等Тより出力された音はその第一導音部Ａを出口２に向かって、分岐され、かつ押されながら移動し、徐々に音を増幅させながら出口２へと音を導かれる。その他は、前述の第１実施例に準ずる。この第３実施例は、構造の簡略化と、音響の広がりを、例えば、左右横方向に確保すること、等を意図する。
【００２６】
図７に示した第４実施例を説明すると、原則として、第３実施例に準ずるが、相違点は、方形状の外郭を示している処であり、その他は、前述の第１−３実施例に準ずる。
【符号の説明】
【００２７】
１  筐体
１００  底面体
１００ａ  一方側の端部
１００ｂ  他方側の端部
１０１、（１０２）  側面体
１０１ａ、（１０２ａ）  一方側の端部
１０１ｂ、（１０２ｂ）  他方側の端部
１０３  天板体
１０４  設置部位
１０５  設置部位
２  出口
３  入口
４  台座
５  差込み開口
５ａ  下端
５ｂ  上端
６  仕切り板
７  導音路
８  空間
１０  空間
１１  基端開口
１２  開放口
Ａ  第一導音部
Ａ１  内底面
Ｂ  第二導音部
Ｔ  スマートフォン等
Ｔ１  発音部
Ｘ  長手方向
Ｙ  短手方向
Ｚ  高さ方向
Ｚ１  横方向
【図１】
2016090890.tif 000003
【図２】
2016090890.tif 000004
【図３】
2016090890.tif 000005
【図４】
2016090890.tif 000006
【図５】
2016090890.tif 000007
【図６】
2016090890.tif 000008
【図７】
2016090890.tif 000009